(57)【要約】【課題】パラソルとしての機能を十分に果たしながらも、風が発生した時に風の強さに応じた風抜きを形成し得る。【解決手段】放射状に広がる親骨３によって生地２が支えられるパラソルにおいて、親骨３の一部領域に生地２と直交する方向に揺動可能でかつ復元力を有する可動骨２１を備え、生地２の一部（第２の生地１９）が可動骨２１に取り付けられると共に残部（第１の生地１８，第３の生地２０）が親骨３に取り付けられ、可動骨２１と該可動骨２１に取り付けられた生地の一部（第２の生地１９）とで風が吹き付けられたときに浮揚しあるいは翻ることにより風を受け流す可動ベンチレーション部１５を構成するようにしている。【選択図】図２
2018057483.tif 000002
【特許請求の範囲】
【請求項１】
生地と、これを支えるように放射状に配置された親骨と、この親骨の内側の端部を連結して集合させる親骨用ろくろと、前記親骨の中程を突っ張ってパラソルを広げるための受骨と、前記受骨の内側の端部を連結して集合させる受骨用ろくろと、前記親骨用ろくろと前記受骨用ろくろとを同軸に配置すると共にそれらの間の間隔を一定に保つための傘軸とを有するパラソルにおいて、
前記親骨の一部領域に前記生地と直交する方向に揺動可能でかつ復元力を有する可動骨を備え、前記生地の一部が前記可動骨に取り付けられると共に残部が前記親骨に取り付けられ、前記可動骨と該可動骨に取り付けられた前記生地の一部とで風が吹き付けられたときに浮揚しあるいは翻ることにより風を受け流す可動ベンチレーション部を構成することを特徴とするパラソル。
【請求項２】
前記可動ベンチレーション部の前記生地と前記可動ベンチレーション部よりも前記傘軸側の領域で前記親骨に固定される前記生地とが、前記親骨並びに前記可動骨に沿って連続的に縫合される一方、前記親骨と前記親骨との間の領域では縫合されずに風抜き用の開口部を形成し、前記可動ベンチレーション部よりも前記傘軸側の領域の前記生地で固定ベンチレーション部が構成されていることを特徴とする請求項１記載のパラソル。
【請求項３】
前記可動ベンチレーション部の外側で、前記親骨の外周縁附近に固定される前記生地で構成される外周縁取り部と、該外周縁取り部の生地の前記親骨と前記親骨との間の領域の中程と前記傘軸とを連結する外周吊りテープとを備え、前記外周縁取り用生地が前記外周吊りテープによって垂れ下がらないに吊り下げられることを特徴とする請求項１または２記載のパラソル。
【請求項４】
前記可動骨は前記親骨と前記受骨とを回転可能に連結する軸を利用して前記親骨に回動自在に連結されているものであることを特徴とする請求項１から３のいずれか１つに記載のパラソル。
【請求項５】
前記可動骨が前記親骨の中に収まるものであることを特徴とする請求項１から４のいずれか１つに記載のパラソル。
【発明の詳細な説明】
【技術分野】
【０００１】
本発明はパラソルに関する。さらに詳述すると、本発明は、例えば屋外での日よけなどに主に使用される大型パラソルのような据え置き式のパラソルに用いて好適なパラソルに関する。
【背景技術】
【０００２】
パラソルは風の影響を受けやすいものである。特に、大型で据え置き式のパラソルほど風の影響を受けやすく、屋外での日よけとして使用するには突風ややや強い風に対する十分な対策が必要となる。即ち、パラソルがやや強い風に飛ばされ転倒するのを未然に防ぎ、あるいはパラソルが転倒の衝撃またはやや強い風で生地等が破損してしまうことを防ぐことが望まれる。
【０００３】
そのため、パラソルには風の影響を軽減させる構造、あるいは風に負けない強度を備えた構造が従来より存在する。例えば、風を受けたときに風を逃がすための開口部（風抜き）をパラソルの頂部周辺に設け、この開口部の上を副覆部即ち主覆部たるパラソル本体に比べて極めて小さな傘で覆う二重傘構造とし、主覆部と副覆部との間に常時開口された風の抜け穴を作ることが提案されている（特許文献１）。副覆部は、リンク（副覆部の受骨に相当する）で主覆部と連結されて、主覆部に対して連動して開閉する構造に設けられている。したがって、主覆部が拡げられるのと連動して副覆部の骨も拡げられて、主覆部の上に一定間隔を開けて副覆部が開いて、常時開口する風抜きが形成されるように設けられている。
【０００４】
また、傘布の頂部周辺に設けた開口をゆったりとした広めの布で覆った冠布部を構成し、風が吹いたときにだけ冠布部が膨らんで主覆部との間に風抜きを形成するものもある（特許文献２）。
【先行技術文献】
【特許文献】
【０００５】
【特許文献１】特開平２−３４１０３号公報
【特許文献２】特開２００４−１９４９３４号公報
【発明の概要】
【発明が解決しようとする課題】
【０００６】
しかしながら、特許文献１記載の発明では、パラソル内に籠もった熱気や風を逃がすための主覆部と副腹部との間の風抜きはリンクによって常にあけられているので、この風抜きから太陽光が差し込んだり雨が吹き込んだりすることとなり、パラソルとしての役目を一部損なうという問題を有している。このため、風抜きを大きめに設定することは望ましくない。つまり、風抜きの開口面積が一定であるため、十分な開口面積を確保しなければ風抜きとして十分に機能しないこともあるし、また必要以上の開口面積を確保すればパラソルとしての働きを損なうこととなる矛盾を含んでいる。しかも、風抜きを作り出す副覆部が主覆部と連動して開閉する傘構造をとるため、構造が複雑となり、部品点数が増えると共に組み立て工程も増え、コスト高となる問題を有する。
【０００７】
しかも、パラソルの頂部周辺に設けられる風抜きは、開口面積が大きく採れないので十分に機能し得ない問題がある。例えば、３〜４ｍ程度の直径ないし幅のパラソルの中央で数十ｃｍ程度の冠布部が僅かに開閉しても、パラソル内にこもった熱気を逃がすことはできても、吹き上げる風の力を瞬時に逃がすことに対しては十分機能しない。また、二重傘構造の主覆部と覆覆部との間の平行な隙間を経由して風が抜ける場合にも、やや強い風になると風抜きとして十分に機能できない虞がある。
【０００８】
また、傘布の頂部周辺の開口をゆったりとした冠布部で覆う特許文献２記載の発明の場合には、熱気が籠もったり風が吹いたときにだけ冠布部が膨らんで傘布との間に風抜きを形成するので、通常は風抜きは閉じて日差しも雨も侵入し難いが、風抜きとしての機能も十分ではなく、実質的に風抜きとして機能し得ない問題がある。
【０００９】
そこで、本発明は、パラソルとしての機能を十分に果たしながらも、風が発生した時に風の強さに応じた風抜きを形成し得るパラソルを提供することを目的とする。
【課題を解決するための手段】
【００１０】
かかる目的を達成するために請求項１記載の発明は、生地と、これを支えるように放射状に配置された親骨と、この親骨の内側の端部を連結して集合させる親骨用ろくろと、親骨の中程を突っ張ってパラソルを広げるための受骨と、受骨の内側の端部を連結して集合させる受骨用ろくろと、親骨用ろくろと受骨用ろくろとを同軸に配置すると共にそれらの間の間隔を一定に保つための傘軸とを有するパラソルにおいて、親骨の一部領域に生地と直交する方向に揺動可能でかつ復元力を有する可動骨を備え、生地の一部が可動骨に取り付けられると共に残部が親骨に取り付けられ、可動骨と該可動骨に取り付けられた生地の一部とで風が吹き付けられたときに浮揚しあるいは翻ることにより風を受け流す可動ベンチレーション部を構成するようにしている。
【００１１】
また、本発明にかかるパラソルは、可動ベンチレーション部の生地と可動ベンチレーション部よりも傘軸側の領域で親骨に固定される生地とが、親骨並びに可動骨に沿って連続的に縫合される一方、親骨と親骨との間の領域では縫合されずに風抜き用の開口部を形成し、可動ベンチレーション部よりも傘軸側の領域の生地で固定ベンチレーション部が構成されていることが好ましい。
【００１２】
ここで、本発明のパラソルは、可動ベンチレーション部の外側で、親骨の外周縁附近に固定される生地で構成される外周縁取り部と、該外周縁取り部の生地の親骨と親骨との間の領域の中程と傘軸とを連結する外周吊りテープとを備え、外周縁取り用生地が外周吊りテープによって垂れ下がらないに吊り下げられることが好ましい。
【００１３】
また、本発明のパラソルにおいて、可動骨は親骨と受骨とを回転可能に連結する軸を利用して親骨に回動自在に連結されているものであることが好ましい。
【００１４】
さらに、本発明のパラソルは、可動骨が親骨の中に収まるものであることが好ましい。
【発明の効果】
【００１５】
本発明にかかるパラソルによれば、風が作用して生地が膨らむとき、枢軸を中心に回動する可動ベンチレーション部が浮揚しあるいは翻ることによって風を受け流すことから、風を受ける面積が少なくなって吹き上げ荷重が減少し、飛ばされたり倒されたりし難くなる。しかも、風の影響をまともに受けることなく、受け流すことができるので、パラソルの骨への負担を軽減して骨の急激な曲がりや折損を免れることができる。また、可動ベンチレーション部の生地と可動骨とは取り付けられた状態で浮揚しあるいは翻ることから、生地だけが風にばたつき可動骨から外れて飛散することがない。さらに、可動ベンチレーション部は、上方へ翻るので、パラソルの下にいるユーザーに対して可動ベンチレーション部の骨や生地が衝突したり、接触することがなく、安全性が高い。
【００１６】
しかも、風が弱まれば、浮揚しあるいは翻った可動ベンチレーション部が復元力で自動的に元の位置に復帰するので、パラソルとしての本来の機能を全面的に取り戻すことができる。つまり、本発明のパラソルによれば、風がないときあるいは微風であるときには風抜きが閉ざされるので、雨が吹き込んだり太陽光が差し込むことがなく、パラソルとしての役目を十分に果たすことができる。
【図面の簡単な説明】
【００１７】
【図１】本発明にかかるパラソルの生地支持構造を大型パラソルに適用した一実施形態を示す平面図である。
【図２】図１のパラソルの骨と生地のとの関係を示す説明図であり、正面から見た状態を示す。
【図３】可動ベンチレーション部を構成する可動骨と親骨との関係を示す図面で、（Ａ）は縦断面図、（Ｂ）は横断面図である。
【図４】親骨と可動骨並びに受骨との関係を示す平面図である。
【図５】親骨と可動骨並びに受骨を分解して示す側面図である。
【図６】可動骨の端部に装着されたプーリーを兼ねるキャップの説明図で、（Ａ）は正面側から見た斜視図、（Ｂ）は背面側から見た斜視図である。
【発明を実施するための形態】
【００１８】
以下、本発明の構成を図面に示す実施形態に基づいて詳細に説明する。尚、本明細書において、先端側あるいは外側とは親骨の露先側、基端側あるいは内側とは傘軸側、周方向とは放射状に拡がる親骨を横切る方向、軸方向とは親骨に沿った方向を意味するものとする。
【００１９】
図１〜図６に本発明を適用したパラソルの実施形態の一例を示す。この実施形態のパラソルは、支柱から横方向に張り出すアームの先端に吊り下げられて使用位置において宙吊り状態で傘部分の開閉が行われるタイプのパラソル（例えば、特開2003-61724号公報参照）である。
【００２０】
本実施形態にかかるパラソルは、パラソル本体１の親骨３の一部領域に生地２と直交する方向に揺動可能でかつ復元力を有する可動骨２１を備え、生地２の一部が可動骨２１に取り付けられると共に残部が親骨３に取り付けられ、可動骨２１と該可動骨２１に取り付けられた生地の一部（第２の生地１９）とで風が吹き付けられたときに浮揚しあるいは翻ることにより風を受け流す可動ベンチレーション部１５を構成し、風が吹いたときに可動ベンチレーション部１５が翻ることによって風を受け流すように設けられている。さらに本実施形態では、可動ベンチレーション部１５の上に固定ベンチレーション部１６、可動ベンチレーション部の下に外周縁取り部１７とがそれぞれ設けられている。
【００２１】
本実施形態のパラソル本体１は、例えば図１及び図２に示すように、生地（canopy）２と、これを支えるように放射状に配置された親骨（rib）３と、この親骨３の内側の端部を連結して集合させる親骨用ろくろ（固定ろくろ，ring）４と、親骨３の中程を突っ張ってパラソル２を広げるための受骨（spreder）５と、受骨５の内側の端部を連結して集合させる受骨用ろくろ（可動ろくろ）６と、親骨用ろくろ４と受骨用ろくろ６とを同軸に配置すると共にそれらの間の間隔を一定に保つための傘軸７とから構成され、パラソル本体の外に配置される支柱（図示省略）に備えられる巻取り具（図示省略）で巻き上げられるロープ（図示省略）によって受骨用ろくろ６が昇降されることによって受骨５を介して親骨３ひいては生地２の開閉を行うように構成されている。
【００２２】
親骨用ろくろ４は、傘軸７に嵌合されて頂部附近に固定されている。傘軸７は、例えばユニバーサルジョイント１０を介して図示していない支柱から張り出されるアームに吊り下げられ、図示していないロープに吊り下げられて昇降させられる受骨用ろくろ６の上昇端を規定し、親骨用ろくろ４と受骨用ろくろ６との位置関係を定める。
【００２３】
本実施形態の場合、生地２は、図１に示すように、例えば固定式ベンチレーション部１６を構成する第１の生地１８と、可動式ベンチレーション部１５を構成する第２の生地１９と、外周縁取り部１７を構成する第３の生地２０との三部で構成され、第１の生地１８と第２の生地１９の末端（径方向外側の端部）がそれぞれの外側の生地の上に一部重ねられてオーバーラップ領域２４，２５を構成する長さ関係に設定されている。尚、本実施形態の場合、生地２は、親骨３と親骨３との間を占める三角形状あるいは台形状の生地を６枚縫い合わせることによって（縫合糸の図示は省略）六角形に形成されているが、これに特に限られるものではなく、場合によっては多角形の環状の生地を組み合わせることによって構成しても良い。
【００２４】
ここで、第１の生地１８と第２の生地１９とは、径方向には一部重なった状態で各々の縫合箇所（親骨３及び可動骨２１の上）で連続的に縫い合される一方、周方向即ち親骨３と親骨３との間に跨がる方向には縫い合されずに単に重なるだけで開閉可能とされている。これによって、第１の生地１８は第２の生地１９の上に一部オーバラップすることで第２の生地１９との間の隙間が塞がれた状態であるが、パラソル内外で圧力差が生じると（風が吹き込んだり、熱気が籠もって第１の生地１８を外側へ膨らませる力が発生すると）、第２の生地１９との間に隙間が生じて空気を通わせるための風抜き（固定ベンチレーション部１６）を形成する。尚、固定ベンチレーション部１６は、主としてパラソル内に籠もる熱気を排出させるためのものであり、ちょっとした風に対する風抜きとしても機能するものである。
【００２５】
また、第２の生地１９は第３の生地２０とは親骨３に沿って径方向に縫合されておらず、第３の生地１９とは完全に切り離されている。そして、第２の生地１９は可動骨２１に固定されることで、第２の生地１９が風を孕んだときに可動骨２１と共に上へ翻って風を受け流す可動ベンチレーション１５を形成する。尚、第２の生地１９（可動ベンチレーション部１５）の縁と第３の生地２０（外周縁取り部１７）の縁との境部分も、周方向即ち親骨３と親骨３との間に跨がる方向には縫い合されずに単に重なるだけで開閉可能とされているので、可動ベンチレーション部１５が翻るまでもなく、ちょっとした風に対する風抜きとしても機能する。
【００２６】
また、第３の生地２０は、第２の生地１９とは完全に切り離されて独立しており、親骨３を周方向に繋ぐ環状の縁取り（外周縁取り部１７）を形成している。この外周縁取り部１７の第３の生地２０と傘軸７とは外周吊りテープ２２で連結されている。本実施例の場合、例えば、図１に示すように、第３の生地２０の親骨３と親骨３との間の中間位置で、中央の傘軸７と外周吊りテープ２２を介して連結されている。この外周吊りテープ２２によって、パラソル本体１を閉じたときに外周縁取り部１７の中程が垂れ下がることがないように傘軸７に直接吊り下げさせている。尚、第２の生地１９の縫合箇所の先端部にはストラップ１３が、第３の生地２０の縫合箇所の先端部にはストラップ９がそれぞれ縫い付けられている。
【００２７】
このように縫製された第１の生地１８の内側の端部は、中央部分に形成された穴（図示省略）が傘軸７に嵌合されて固定ろくろ４とキャップ８との間で固定されると共に、生地２の中央の穴の周囲をキャップ８で覆って雨水の浸入を防ぐ構造とされている。また、第２の生地１９の外側の端部は、ストラップ１３を介して可動骨２１の庇部材２６にビス止めなどによって固定されている。さらに、第３の生地２０の外側の端部はストラップ９を介して親骨３の先端のキャップ１１に固定されている。また、生地２の途中は、必要に応じて親骨３あるいは可動骨２１に止め付けられている。例えば、生地２の縫製の際に縫い付けた帯紐（図示省略）を利用して、親骨３あるいは可動骨２１に止め付けられている。帯紐は、例えばシャフトが貫通する孔が設けられており、該孔に親骨３あるいは可動骨２１を貫通するシャフト１２を貫通させて固定するようにしても良い。勿論、これ以外の手段によって、生地２と親骨３あるいは可動骨２１とを固定しても良い。尚、上述の帯紐の孔には、通常、鳩目や糸のかがりが施される。
【００２８】
親骨３はパラソル中心の親骨用ろくろ４において連結され、放射状に延びる。本実施形態の場合、例えば６本の骨で構成されているが、これに特に限られるものでなく、６本よりも多くても少なくても良い。本実施形態の場合、親骨３は、例えば図３（Ｂ）に示すようなコ形（チャネル状）の型材例えばアルミ型材などが使用されている。そして、可動ベンチレーション部１５を構成する可動骨２１が親骨３の溝の中に鉛直面に沿って翻転可能に収納され、第２の生地を介して浮揚力が加えられたときにのみ親骨３から飛び出す構造とされている。したがって、外観的には一般的なパラソルと変わりがないし、親骨３よりも下には可動骨２１が回動することがないので、パラソルの下に居るユーザーに可動骨が当たる不測の事態を防ぐことができ、安全性も高い。尚、本実施形態において、親骨３としてはチャネル状型材が用いられているが、これに特に限られるものではなく、例えば角パイプの一面を部分的に切り欠いて可動骨２１が揺動可能に収納される範囲ではチャネル状の断面とするようにしても良いし、可動骨２１を外に配置する場合には全域が矩形断面の角パイプでも良い。
【００２９】
可動骨２１は、親骨３の一部領域を占めて生地２と直交する方向に揺動可能でかつ復元力を備えるように設けられている。可動骨２１の長さは任意であるが、所望とする開口面積の風抜きを形成できる長さが適宜決められる。例えば、本実施形態の場合、親骨３と受骨５とが回転可能に繋がれる滑節（ダボ部とも呼ばれる）１４から外周縁取り部１７の直近の位置までに至る長さの角パイプが採用されている。そして、親骨３と受骨５とが連結される滑節１４のピンあるいは軸（以下、枢軸３３と呼ぶ）を用いて連結されている。したがって、可動骨２１が枢軸３３を中心に翻転するとき、滑節１４から外周縁取り部１７までの間で生地２が翻って空気を通わせるための通風口即ち可動ベンチレーション部（風抜き）１５が形成される。尚、可動骨２１は、本実施形態の場合、角パイプが用いられているがこれに特に限られるものではなく、必要に応じて適宜断面形状の骨材が使用される。また、本実施形態の場合、受骨５と親骨３とを連結する滑節１４の枢軸３３を利用して可動骨２１を連結することで部品点数と作業工程の削減を図っているが、これに特に限られるものでは無く、独自の枢軸を用いて任意の位置例えば滑節１４よりも固定ろくろ４側の位置あるいは露先き（外周縁）側の位置で可動骨２１を親骨３に連結するようにしても良い。
【００３０】
可動骨２１の先端には、外周縁取り部１７の第３の生地２０の上まで突出する庇部材（張出し）２６が備えられている。そして、この庇部材２６に第２の生地１９の端を固定することにより、可動ベンチレーション部１５の第２の生地１９が外周縁取り部１７の第３の生地２０の上に重なり、下に潜り込むのを防ぐことができるようにされている。庇部材２６は、可動骨２１の端部から外周縁取り部１７の第３の生地２０の上にまで延びる短冊状の板であり、可動ベンチレーション部１５の第２の生地１９を支える強度と耐候性を維持できるものであれば、金属製でも合成樹脂製でも良い。第２の生地１９と庇部材２６との連結は、第２の生地１９の縫合箇所の外周側端部に縫い付けられたストラップ１３を介してビス止めなどによって連結されている。
【００３１】
また、可動骨２１の基端側には、プーリー機能を有する端部キャップ２７が備えられ、該端部キャップ２７を介して親骨３に回動可能に連結されている。端部キャップ２７は、本実施形態の場合、図６に示すように、可動骨２１から外に突出する部分に半円形のプーリー部３２を有し、可動骨２１の中に嵌め込まれる軸部３７の上面と下面並びに可動骨２１から外に突出する半円形のプーリー部３２にかけてロープ２８が通過するのに好適な溝例えば半円の溝３４がＵ形に連続的に形成されている。溝３４をＵ形に形成することにより、可動骨２１に嵌め込んで固着する際の方向性がなくなるため作業効率が良くなる。端部キャップ２７は、可動骨２１の基端部側に嵌め込まれて連結ピン３５によって固定される。また、この端部キャップ２７のプーリー部３２の中心には枢軸３３を貫通させる孔３６が設けられている。
【００３２】
端部キャップ２７の下側の溝３４には、引っ張りコイルばね２９に一端が繋がれたロープ２８が通されている。例えば、本実施形態の場合、可動骨２１側に引っ張りコイルばね２９の一端のクリップ部分が軸３１に引っ掛けられて係留される一方、引っ張りコイルばね２９の他端のクリップ部分にロープ２８が係留され、該ロープ２８が端部キャップ２７の溝３４を経て親骨３の軸３０に止め付けられている。したがって、可動骨２１が親骨３の中に収まっている無風状態などではロープ２８は単にキャップ２７の溝３４内を通過して親骨３の係止軸３０と引っ張りコイルばね２９との間でほぼ直線的に張られているだけであるが、可動骨２１が枢軸３３回りに回動して可動ベンチレーション部１５が翻るときには、ロープ２８が半円形のプーリー部３２に巻掛けられるのでその迂回分だけ引っ張りばね２９が引き延ばされる。このため、可動ベンチレーション部１５の生地にかかる風が弱まると、引っ張りコイルばね２９の力で引っ張られるロープ２８の動きが、半円形のプーリー部３２を介して可動骨２１を元の位置に戻す回転に変換されて、可動骨２１を元位置に復帰させる。尚、本実施形態では、可動骨２１を復元させる動力源として、引っ張りばね２９とロープ２８及びプーリー部３２とで構成される機構を用いているが、これに特に限られるものではなく、他の復元手段例えばトーションコイルばねを滑節（回転可能な連結点）の枢軸３３上に備えても良い。
【００３３】
尚、本実施形態におけるパラソル本体１の開閉は、アーム先端のユニバーサルジョイント１０に吊り下げられている傘軸７に対して、ロープを介して吊り下げられている受骨用ろくろ６を昇降させることによって行われる。図示していないが、パラソル１はその中心から離れたところに立てられる支柱から迫り出されるアームの先端に吊り下げられ、支柱に備えられている巻取り具例えば手巻きウィンチによって巻き取られるロープがアームの先端から吊り下げられる筒状の傘軸７の中を通過して受骨用ろくろ６に取り付けられ、受骨用ろくろ６が巻き上げられて傘軸７の下端に嵌め込まれたときに、固定される。
【００３４】
以上のように構成された本実施形態にかかるパラソルによれば、パラソルの基本的構成である、固定ろくろ、可動ろくろ、親骨並びに受骨をそのまま利用し、可動骨とその復元機構を備えるだけで済むので、特許文献１記載の発明のように、風抜きを作り出す副覆部が主覆部と連動して開閉する傘構造をとる場合に比べて、構造が簡易となり、追加部品点数も組み立て工数も少なく、コスト増加を抑えられる。
【００３５】
また、本実施形態のパラソルによると、風が全くあるいは殆ど無い時には、可動ベンチレーション部１５と固定ベンチレーション部１６との間並びに可動ベンチレーション部１５と外周縁取り部１７との間のオーバーラップ領域２４，２５の隙間が閉じているので、雨が吹き込んだり太陽光が差し込むことがなく、パラソルとしての役目を十分に果たす。そして、ちょっとした風例えば微風が起きたりパラソル本体１の内側に熱気が籠もったりしたときには、固定ベンチレーション部１６のオーバーラップ領域２４が開いて熱気や風を逃がすことができる。また、場合によっては、可動ベンチレーション部１５と外周縁取り部１７との間のオーバーラップ領域２５も僅かに開いて風を逃がすこともある。
【００３６】
他方、第２の生地１９が風を孕んだときに可動ベンチレーション部１５が浮揚しあるいは翻ってパラソル本体１の生地２の一部に風抜きが設けられる。つまり、風が作用して生地が膨らむとき、可動ベンチレーション部１５が浮揚しあるいは翻ることによって風を受け流す。このことから、風を受ける面積が少なくなって吹き上げ荷重が減少し、パラソルが飛ばされたり倒されたりし難くなる。しかも、パラソルの外周に近い所を翻らせるので、風圧を受ける生地の面積変化が大きいので、吹き上げに対する抑制効果が高くなる（風をかわす効果が高くなる）。さらに、風を受け流して風の影響をまともに受けなくしているので、パラソルの骨への負担を軽減して骨の急激な曲がりや折損を免れることができる。また、可動ベンチレーション部１５は、上方へ翻るので、パラソル本体１の下にいるユーザーに対して可動ベンチレーション部１５の骨２１や生地１９が衝突したり、接触することがなく、安全性が高い。
【００３７】
また、本実施形態では、親骨３に固定されている外周縁取り部１７によってパラソル本体１の外形（輪郭）が保たれるようにしているので、可動ベンチレーション部１５が翻ったとしても、パラソルの輪郭に変化は表れない。このため、ユーザーに与える驚きが少なくて済む。つまり、パラソルが壊れたのではないかと、ユーザーを驚かせることが少ない。また、外周吊りテープ２２を介して外周縁取り部１７の第３の生地２０と傘軸７とが連結されているので、パラソル本体１を閉じたときに、外周縁取り部１７の生地２０の親骨と親骨との間の中間点部分が大きく垂れ下がることがなく、パラソル本体１の収納時に外観を損ねることがない。
【００３８】
さらに、風が弱まれば、浮揚しあるいは翻った可動ベンチレーション部１５が復元力で自動的に原位置に復帰するので、パラソルとしての本来の機能を全面的に取り戻すことができる。つまり、風抜きが閉ざされることで、雨が吹き込んだり太陽光が差し込むことがなく、パラソルとしての役目を十分に果たすことができる。
【００３９】
なお、上述の形態は本発明の好適な形態の一例ではあるがこれに限定されるものではなく本発明の要旨を逸脱しない範囲において種々変形実施可能である。例えば、上述の実施形態では使用位置において宙吊り状態でパラソル本体１の開閉が行われるタイプのパラソルに適用した例を挙げて本発明を主に説明したが、このタイプに限られず、例えば図示していないが、パラソル中心に支柱が存在するタイプのパラソルに適用しても良いことは言うまでもない。この場合、支柱の上部が傘軸７としての働きを成し、支柱の上端に骨用ろくろ４が固定されると共に、その下方で受骨用ろくろ６が支柱に沿って昇降するように嵌合されている。また、非開閉構造のパラソル（開いた状態のまま固定されている構造）、その他の構造のオーニングなどに適用することも可能である。さらには、手に持って使用される雨傘、日傘などにも適用できることは言うまでも無い。
【００４０】
さらに、上述の実施形態における可動ベンチレーション部１５は、１つの帯域に連続的に形成した例を挙げて主に説明されているが、これに特に限られるものでは無く、パラソルの内径側から外径側にかけて複数段の可動ベンチレーション部１５を備え、生地と骨とが径方向に複数箇所で連結されるようにしても良い。この場合、風の強さに応じて段階的に可動ベンチレーション部が浮揚しあるいは翻って風を逃がす・受け流す構造とすることができる。
【００４１】
また、上述の実施形態では、固定ベンチレーション部１６と外周縁取り部１７との間の帯域の全周を可動ベンチレーション部１５として構成した例を挙げて主に説明したが、これに特に限られるものではなく、場合によっては、少なくとも一部の親骨３に可動骨２１を備えて可動ベンチレーション部１５を周方向に不連続に設けるようにしても良い。例えば放射状に拡がる親骨３と親骨３との間の生地を１つ置きに可動骨２１に取り付けたり、あるいは可動ベンチレーション部１５の位置を径方向にずらしたり、及び／又は可動ベンチレーション部１５の長さを異ならせるようにしても良い。このような場合においても、パラソル１にかかる風を受け流してその影響を軽減できる。
【００４２】
また、上述の実施形態では、可動骨２１はチャネル状の親骨３の中に収容されているが、これに特に限られ限られず、例えば、親骨３の外に可動骨２１が平行に並べられて揺動可能に連結されても良い。この場合には、親骨３よりも下に可動骨２１が回転するのを規制するための位置決め軸を設けることが好ましい。
【００４３】
また、上述の実施形態では、パラソル本体１は、傘軸７を中心に内側（傘の頂部側）から固定ベンチレーション部１６、可動ベンチレーション部１５、外周縁取り部１７の順に配置された三部構成とされているが、これに特に限られず、場合によっては、外周縁取り部１７を設けずに外周端にまで達する可動ベンチレーション部１５と固定ベンチレーション部１６との二部構成としても良いし、さらには固定ベンチレーション部１６も設けずに生地２の一部が可動ベンチレーション部１５を構成する構造としても良い。
【符号の説明】
【００４４】
１  パラソル本体
２  生地
３  親骨
４  骨用ろくろ（固定ろくろ）
５  受骨
６  受骨用ろくろ（可動ろくろ）
７  傘軸
１５  可動ベンチレーション部
１６  固定ベンチレーション部
１７  外周縁取り部
１８  第１の生地
１９  第２の生地
２０  第３の生地
２１  可動骨
２２  外周吊りテープ
２３  風抜き用の開口部
２７  端部キャップ
２８  ロープ
２９  引っ張りばね
３０  軸（親骨）
３１  軸（可動骨）
３２  プーリー部
３３  枢軸（親骨と受骨とを回転可能に連結する軸）
【図１】
2018057483.tif 000003
【図２】
2018057483.tif 000004
【図３】
2018057483.tif 000005
【図４】
2018057483.tif 000006
【図５】
2018057483.tif 000007
【図６】
2018057483.tif 000008